(57)【要約】【課題】スプリアスノイズの発生を抑制することが可能な衛星放送受信用コンバータを提供すること。【解決手段】ミキサ２３ｃは、ローカル回路２４ａから出力されるローカル信号（１１．２５ＧＨｚ）と低周波ローカル回路２４ｃから出力されるローカル信号（３．１ＧＨｚ）とをミキシングして、ローカル信号（１４．３５ＧＨｚ）を出力する。ミキサ２３ｂは、ＢＰＦ２２ｂから出力されるＲＦ信号とミキサ２３ｃから出力されるローカル信号とをミキシングして、ＩＦ信号（１．６５〜２．１５ＧＨｚ）を生成する。したがって、高周波数のローカル信号を生成するローカル回路の数を減らすことができ、スプリアスノイズの発生を抑制することが可能となる。【選択図】図２
2009260894.tif 000002
【特許請求の範囲】
【請求項１】
衛星放送を受信して複数の周波数帯のＩＦ信号を生成する衛星放送受信用コンバータであって、
高周波数のローカル信号を生成するローカル回路と、
低周波数のローカル信号を生成する低周波ローカル回路と、
前記衛星放送のＲＦ信号と前記ローカル回路から出力されるローカル信号とから第１の周波数帯のＩＦ信号を生成する第１の回路と、
前記衛星放送のＲＦ信号と前記ローカル回路から出力されるローカル信号と前記低周波ローカル回路から出力されるローカル信号とから第２の周波数帯のＩＦ信号を生成する第２の回路とを含む、衛星放送受信用コンバータ。
【請求項２】
前記低周波ローカル回路によって生成されるローカル信号の周波数は、前記ローカル回路から出力されるローカル信号の周波数と、前記第２の回路において必要となるローカル信号の周波数との差である、請求項１記載の衛星放送受信用コンバータ。
【請求項３】
前記第１の回路は、前記衛星放送のＲＦ信号を増幅する第１のロウノイズアンプと、
前記第１のロウノイズアンプから出力されるＲＦ信号の帯域を制限する第１のバンドパスフィルタと、
前記第１のバンドパスフィルタから出力されるＲＦ信号と前記ローカル回路から出力されるローカル信号とをミキシングして、前記第１の周波数帯のＩＦ信号を生成する第１のミキサと、
前記第１のミキサから出力される前記第１の周波数帯のＩＦ信号を増幅する第１のＩＦアンプとを含み、
前記第２の回路は、前記衛星放送のＲＦ信号を増幅する第２のロウノイズアンプと、
前記第２のロウノイズアンプから出力されるＲＦ信号の帯域を制限する第２のバンドパスフィルタと、
前記ローカル回路から出力されるローカル信号と前記低周波ローカル回路から出力されるローカル信号とをミキシングして、ローカル信号を出力する第２のミキサと、
前記第２のバンドパスフィルタから出力されるＲＦ信号と前記第２のミキサから出力されるローカル信号とをミキシングして、前記第２の周波数帯のＩＦ信号を生成する第３のミキサと、
前記第３のミキサから出力される前記第２の周波数帯のＩＦ信号を増幅する第２のＩＦアンプとを含む、請求項２記載の衛星放送受信用コンバータ。
【請求項４】
前記第１の回路は、前記衛星放送のＲＦ信号を増幅する第１のロウノイズアンプと、
前記第１のロウノイズアンプから出力されるＲＦ信号の帯域を制限する第１のバンドパスフィルタと、
前記第１のバンドパスフィルタから出力されるＲＦ信号と前記ローカル回路から出力されるローカル信号とをミキシングして、前記第１の周波数帯のＩＦ信号を生成する第１のミキサと、
前記第１のミキサから出力される前記第１の周波数帯のＩＦ信号を増幅する第１のＩＦアンプとを含み、
前記第２の回路は、前記衛星放送のＲＦ信号を増幅する第２のロウノイズアンプと、
前記第２のロウノイズアンプから出力されるＲＦ信号の帯域を制限する第２のバンドパスフィルタと、
前記第２のバンドパスフィルタから出力されるＲＦ信号と前記ローカル回路から出力されるローカル信号とをミキシングして、中間ＩＦ信号を生成する第２のミキサと、
前記第２のミキサから出力される中間ＩＦ信号と前記低周波ローカル回路から出力されるローカル信号とをミキシングして、前記第２の周波数帯のＩＦ信号を出力する第３のミキサと、
前記第３のミキサから出力される前記第２の周波数帯のＩＦ信号を増幅する第２のＩＦアンプとを含む、請求項２記載の衛星放送受信用コンバータ。
【請求項５】
前記ローカル回路によって生成されるローカル信号の周波数は、前記第１の回路において必要となるローカル信号の周波数と、前記第２の回路において必要となるローカル信号の周波数との和を２で割った値であり、
前記低周波ローカル回路によって生成されるローカル信号の周波数は、前記第１の回路において必要となるローカル信号の周波数と、前記第２の回路において必要となるローカル信号の周波数との差を２で割った値である、請求項１記載の衛星放送受信用コンバータ。
【請求項６】
前記衛星放送受信用コンバータはさらに、前記ローカル回路から出力されるローカル信号と前記低周波ローカル回路から出力されるローカル信号とをミキシングして、第１のローカル信号および第２のローカル信号を生成する第１のミキサを含み、
前記第１の回路は、前記衛星放送のＲＦ信号を増幅する第１のロウノイズアンプと、
前記第１のロウノイズアンプから出力されるＲＦ信号の帯域を制限する第１のバンドパスフィルタと、
前記第１のバンドパスフィルタから出力されるＲＦ信号と前記第１のミキサから出力される前記第１のローカル信号とをミキシングして、前記第１の周波数帯のＩＦ信号を生成する第２のミキサと、
前記第２のミキサから出力される前記第１の周波数帯のＩＦ信号を増幅する第１のＩＦアンプとを含み、
前記第２の回路は、前記衛星放送のＲＦ信号を増幅する第２のロウノイズアンプと、
前記第２のロウノイズアンプから出力されるＲＦ信号の帯域を制限する第２のバンドパスフィルタと、
前記第２のバンドパスフィルタから出力されるＲＦ信号と前記第１のミキサから出力される前記第２のローカル信号とをミキシングして、前記第２の周波数帯のＩＦ信号を生成する第３のミキサと、
前記第３のミキサから出力される前記第２の周波数帯のＩＦ信号を増幅する第２のＩＦアンプとを含む、請求項５記載の衛星放送受信用コンバータ。
【請求項７】
前記第１の回路は、前記衛星放送のＲＦ信号を増幅する第１のロウノイズアンプと、
前記第１のロウノイズアンプから出力されるＲＦ信号の帯域を制限する第１のバンドパスフィルタと、
前記第１のバンドパスフィルタから出力されるＲＦ信号と前記ローカル回路から出力されるローカル信号とをミキシングして、中間ＩＦ信号を生成する第１のミキサと、
前記第１のミキサから出力される中間ＩＦ信号と前記低周波ローカル回路から出力されるローカル信号とをミキシングして、前記第１の周波数帯のＩＦ信号を出力する第２のミキサと、
前記第２のミキサから出力される前記第１の周波数帯のＩＦ信号を増幅する第１のＩＦアンプとを含み、
前記第２の回路は、前記衛星放送のＲＦ信号を増幅する第２のロウノイズアンプと、
前記第２のロウノイズアンプから出力されるＲＦ信号の帯域を制限する第２のバンドパスフィルタと、
前記第２のバンドパスフィルタから出力されるＲＦ信号と前記ローカル回路から出力されるローカル信号とをミキシングして、中間ＩＦ信号を生成する第３のミキサと、
前記第３のミキサから出力される中間ＩＦ信号と前記低周波ローカル回路から出力されるローカル信号とをミキシングして、前記第２の周波数帯のＩＦ信号を出力する第４のミキサと、
前記第４のミキサから出力される前記第２の周波数帯のＩＦ信号を増幅する第２のＩＦアンプとを含む、請求項５記載の衛星放送受信用コンバータ。
【請求項８】
放送衛星からの電波を反射するアンテナと、
前記アンテナによって反射された電波から複数の周波数帯のＩＦ信号を生成する衛星放送受信用コンバータとを含んだアンテナ装置であって、
前記衛星放送受信用コンバータは、高周波数のローカル信号を生成するローカル回路と、
低周波数のローカル信号を生成する低周波ローカル回路と、
前記衛星放送のＲＦ信号と前記ローカル回路から出力されるローカル信号とから第１の周波数帯のＩＦ信号を生成する第１の回路と、
前記衛星放送のＲＦ信号と前記ローカル回路から出力されるローカル信号と前記低周波ローカル回路から出力されるローカル信号とから第２の周波数帯のＩＦ信号を生成する第２の回路とを含む、アンテナ装置。
【請求項９】
放送衛星からの電波を反射するアンテナと、
前記アンテナによって反射された電波から複数の周波数帯のＩＦ信号を生成する衛星放送受信用コンバータと、
前記衛星放送受信用コンバータによって生成されたＩＦ信号から所定のストリームを再生するチューナとを含んだ衛星放送受信システムであって、
前記衛星放送受信用コンバータは、高周波数のローカル信号を生成するローカル回路と、
低周波数のローカル信号を生成する低周波ローカル回路と、
前記衛星放送のＲＦ信号と前記ローカル回路から出力されるローカル信号とから第１の周波数帯のＩＦ信号を生成する第１の回路と、
前記衛星放送のＲＦ信号と前記ローカル回路から出力されるローカル信号と前記低周波ローカル回路から出力されるローカル信号とから第２の周波数帯のＩＦ信号を生成する第２の回路とを含む、衛星放送受信システム。
【発明の詳細な説明】
【技術分野】
【０００１】
本発明は、衛星放送を受信してダウンコンバートしたＩＦ（Intermediate Frequency）信号を出力する衛星放送受信用コンバータに関し、特に、複数のローカル回路を搭載した衛星放送受信用コンバータ、それを用いたアンテナ装置および衛星放送受信システムに関する。
【背景技術】
【０００２】
近年、衛星放送受信システムが広く普及している。一般に、衛星放送受信システムは、パラボラアンテナ（以下、単にアンテナと呼ぶ。）、衛星放送受信用コンバータ、ＢＳ（Broadcasting Satellite）チューナ、テレビジョン等から構成される。
【０００３】
衛星放送受信用コンバータは、アンテナの反射鏡で反射された放送衛星からの電波を低い周波数帯のＩＦ信号にダウンコーバートし、ＢＳチューナに出力する。ＢＳチューナは、衛星放送受信用コンバータから受けたＩＦ信号から所望のチャンネルの映像や音声を再生してテレビジョンに出力する。
【０００４】
図６は、従来の衛星放送受信用コンバータの構成例を示すブロック図である。この衛星放送受信用コンバータ１００は、２つのローカル回路（Ｋｕ帯またはＫａ帯）を搭載したものであり、北米向けモデルである。なお、ヨーロッパ向けモデルの場合には、９．７５ＧＨｚおよび１０．６ＧＨｚのローカル回路が２つ搭載される。
【０００５】
衛星放送受信用コンバータ１００は、ＬＮＡ（Low Noise Amplifier）２１ａおよび２１ｂと、ＢＰＦ（Band Pass Filter）２２ａおよび２２ｂと、ミキサ２３ａおよび２３ｂと、ローカル回路２４ａおよび２４ｂと、ＩＦアンプ２５ａおよび２５ｂと、出力端子２６ａおよび２６ｂとを含む。
【０００６】
ＬＮＡ２１ａは、アンテナの反射鏡で反射された１２．２〜１２．７ＧＨｚのＲＦ（Radio Frequency）信号を増幅してＢＰＦ２２ａに出力する。ＢＰＦ２２ａは、受信帯域幅とほぼ等しい通過帯域幅を有しており、ＬＮＡ２１ａによって増幅されたＲＦ信号の信号帯域を制限してミキサ２３ａに出力する。
【０００７】
ミキサ２３ａは、ＢＰＦ２２ａから出力されるＲＦ信号（１２．２〜１２．７ＧＨｚ）と、ローカル回路２４ａから出力されるローカル信号（１１．２５ＧＨｚ）とをミキシングし、ＲＦ信号をＩＦ信号（０．９５〜１．４５ＧＨｚ）に変換してＩＦアンプ２５ａに出力する。
【０００８】
ＩＦアンプ２５ａは、ミキサ２３ａによって生成されたＩＦ信号を増幅し、出力端子２６ａを介してＢＳチューナに出力する。
【０００９】
同様に、ＬＮＡ２１ｂは、アンテナの反射鏡で反射された１２．２〜１２．７ＧＨｚのＲＦ信号を増幅してＢＰＦ２２ｂに出力する。ＢＰＦ２２ｂは、受信帯域幅とほぼ等しい通過帯域幅を有しており、ＬＮＡ２１ｂによって増幅されたＲＦ信号の信号帯域を制限してミキサ２３ｂに出力する。
【００１０】
ミキサ２３ｂは、ＢＰＦ２２ｂから出力されるＲＦ信号（１２．２〜１２．７ＧＨｚ）と、ローカル回路２４ｂから出力されるローカル信号（１４．３５ＧＨｚ）とをミキシングし、ＲＦ信号をＩＦ信号（１．６５〜２．１５ＧＨｚ）に変換してＩＦアンプ２５ｂに出力する。
【００１１】
ＩＦアンプ２５ｂは、ミキサ２３ｂによって生成されたＩＦ信号を増幅し、出力端子２６ｂを介してＢＳチューナに出力する。
【００１２】
なお、バンドスタックと呼ばれる２つのバンドを積み重ねる技術を搭載したり、ＩＦアンプ２５ａおよび２５ｂの前段にスイッチＩＣを入れて任意の信号を選択して各出力端子に出力するような衛星放送受信用コンバータも存在するが、本質的な事項ではないので、ここでの詳細な説明は行なわない。
【００１３】
複数のローカル回路を搭載した衛星放送受信装置としては、下記の特許文献１に開示された発明がある。この衛星放送受信装置は、第１周波数帯域を有する通信衛星を用いた放送の水平偏波入力信号を、第１ローカル周波数Ｌ１で周波数変換して、水平偏波帯域を形成し、第１周波数帯域を有する通信衛星を用いた放送の垂直偏波入力信号を、第２ローカル周波数Ｌ２で周波数変換して、水平偏波帯域とは異なる周波数帯域を有する垂直偏波帯域を形成し、第２周波数帯域を有する放送衛星を用いた放送の入力信号を、第３ローカル周波数Ｌ３で周波数変換して、水平偏波帯域と垂直偏波帯域とは異なる周波数帯域を有する放送衛星放送帯域を形成し、水平偏波帯域と、垂直偏波帯域と、放送衛星放送帯域とを１つの伝送路により送る混合部と、を備える。
【特許文献１】特開２０００−０２２５７４号公報
【発明の開示】
【発明が解決しようとする課題】
【００１４】
上述のように、衛星放送受信用コンバータが２つのローカル回路を搭載している場合、Ｋｕ帯またはＫａ帯のローカル回路が２つ存在する。このような高周波数のローカル回路が複数ある場合には、強いスプリアス信号（不要信号）が発生しやすい状態となり、誤動作の原因になるといった問題点がある。
【００１５】
また、Ｋｕ帯またはＫａ帯のローカル回路は、調整ネジなどで周波数調整を行なう工程が必要となる。そのため、製品の生産ラインにおけるコストが増加するといった問題点もある。
【００１６】
さらには、Ｋｕ帯またはＫａ帯のローカル回路は、一般に基板上で大きな面積を占めるため、衛星放送受信用コンバータを小さくすることが困難であるといった問題点もある。これらの問題点は、特許文献１に開示された発明を用いたとしても解決することはできない。
【００１７】
本発明は、上記問題点を解決するためになされたものであり、第１の目的は、高周波数のローカル回路の数を削減でき、スプリアスノイズの発生を抑制することが可能な衛星放送受信用コンバータ、それを用いたアンテナ装置および衛星放送受信システムを提供することである。
【００１８】
第２の目的は、調整ネジなどで周波数調整を行なう工程を減らすことが可能な衛星放送受信用コンバータ、それを用いたアンテナ装置および衛星放送受信システムを提供することである。
【００１９】
第３の目的は、基板の面積を小さくすることが可能な衛星放送受信用コンバータ、それを用いたアンテナ装置および衛星放送受信システムを提供することである。
【課題を解決するための手段】
【００２０】
本発明のある局面に従えば、衛星放送を受信して複数の周波数帯のＩＦ信号を生成する衛星放送受信用コンバータであって、高周波数のローカル信号を生成するローカル回路と、低周波数のローカル信号を生成する低周波ローカル回路と、衛星放送のＲＦ信号とローカル回路から出力されるローカル信号とから第１の周波数帯のＩＦ信号を生成する第１の回路と、衛星放送のＲＦ信号とローカル回路から出力されるローカル信号と低周波ローカル回路から出力されるローカル信号とから第２の周波数帯のＩＦ信号を生成する第２の回路とを含む。
【００２１】
好ましくは、低周波ローカル回路によって生成されるローカル信号の周波数は、ローカル回路から出力されるローカル信号の周波数と、第２の回路において必要となるローカル信号の周波数との差である。
【００２２】
さらに好ましくは、第１の回路は、衛星放送のＲＦ信号を増幅する第１のロウノイズアンプと、第１のロウノイズアンプから出力されるＲＦ信号の帯域を制限する第１のバンドパスフィルタと、第１のバンドパスフィルタから出力されるＲＦ信号とローカル回路から出力されるローカル信号とをミキシングして、第１の周波数帯のＩＦ信号を生成する第１のミキサと、第１のミキサから出力される第１の周波数帯のＩＦ信号を増幅する第１のＩＦアンプとを含み、第２の回路は、衛星放送のＲＦ信号を増幅する第２のロウノイズアンプと、第２のロウノイズアンプから出力されるＲＦ信号の帯域を制限する第２のバンドパスフィルタと、ローカル回路から出力されるローカル信号と低周波ローカル回路から出力されるローカル信号とをミキシングして、ローカル信号を出力する第２のミキサと、第２のバンドパスフィルタから出力されるＲＦ信号と第２のミキサから出力されるローカル信号とをミキシングして、第２の周波数帯のＩＦ信号を生成する第３のミキサと、第３のミキサから出力される第２の周波数帯のＩＦ信号を増幅する第２のＩＦアンプとを含む。
【００２３】
さらに好ましくは、第１の回路は、衛星放送のＲＦ信号を増幅する第１のロウノイズアンプと、第１のロウノイズアンプから出力されるＲＦ信号の帯域を制限する第１のバンドパスフィルタと、第１のバンドパスフィルタから出力されるＲＦ信号とローカル回路から出力されるローカル信号とをミキシングして、第１の周波数帯のＩＦ信号を生成する第１のミキサと、第１のミキサから出力される第１の周波数帯のＩＦ信号を増幅する第１のＩＦアンプとを含み、第２の回路は、衛星放送のＲＦ信号を増幅する第２のロウノイズアンプと、第２のロウノイズアンプから出力されるＲＦ信号の帯域を制限する第２のバンドパスフィルタと、第２のバンドパスフィルタから出力されるＲＦ信号とローカル回路から出力されるローカル信号とをミキシングして、中間ＩＦ信号を生成する第２のミキサと、第２のミキサから出力される中間ＩＦ信号と低周波ローカル回路から出力されるローカル信号とをミキシングして、第２の周波数帯のＩＦ信号を出力する第３のミキサと、第３のミキサから出力される第２の周波数帯のＩＦ信号を増幅する第２のＩＦアンプとを含む。
【００２４】
好ましくは、ローカル回路によって生成されるローカル信号の周波数は、第１の回路において必要となるローカル信号の周波数と、第２の回路において必要となるローカル信号の周波数との和を２で割った値であり、低周波ローカル回路によって生成されるローカル信号の周波数は、第１の回路において必要となるローカル信号の周波数と、第２の回路において必要となるローカル信号の周波数との差を２で割った値である。
【００２５】
さらに好ましくは、衛星放送受信用コンバータはさらに、ローカル回路から出力されるローカル信号と低周波ローカル回路から出力されるローカル信号とをミキシングして、第１のローカル信号および第２のローカル信号を生成する第１のミキサを含み、第１の回路は、衛星放送のＲＦ信号を増幅する第１のロウノイズアンプと、第１のロウノイズアンプから出力されるＲＦ信号の帯域を制限する第１のバンドパスフィルタと、第１のバンドパスフィルタから出力されるＲＦ信号と第１のミキサから出力される第１のローカル信号とをミキシングして、第１の周波数帯のＩＦ信号を生成する第２のミキサと、第２のミキサから出力される第１の周波数帯のＩＦ信号を増幅する第１のＩＦアンプとを含み、第２の回路は、衛星放送のＲＦ信号を増幅する第２のロウノイズアンプと、第２のロウノイズアンプから出力されるＲＦ信号の帯域を制限する第２のバンドパスフィルタと、第２のバンドパスフィルタから出力されるＲＦ信号と第１のミキサから出力される第２のローカル信号とをミキシングして、第２の周波数帯のＩＦ信号を生成する第３のミキサと、第３のミキサから出力される第２の周波数帯のＩＦ信号を増幅する第２のＩＦアンプとを含む。
【００２６】
さらに好ましくは、第１の回路は、衛星放送のＲＦ信号を増幅する第１のロウノイズアンプと、第１のロウノイズアンプから出力されるＲＦ信号の帯域を制限する第１のバンドパスフィルタと、第１のバンドパスフィルタから出力されるＲＦ信号とローカル回路から出力されるローカル信号とをミキシングして、中間ＩＦ信号を生成する第１のミキサと、第１のミキサから出力される中間ＩＦ信号と低周波ローカル回路から出力されるローカル信号とをミキシングして、第１の周波数帯のＩＦ信号を出力する第２のミキサと、第２のミキサから出力される第１の周波数帯のＩＦ信号を増幅する第１のＩＦアンプとを含み、第２の回路は、衛星放送のＲＦ信号を増幅する第２のロウノイズアンプと、第２のロウノイズアンプから出力されるＲＦ信号の帯域を制限する第２のバンドパスフィルタと、第２のバンドパスフィルタから出力されるＲＦ信号とローカル回路から出力されるローカル信号とをミキシングして、中間ＩＦ信号を生成する第３のミキサと、第３のミキサから出力される中間ＩＦ信号と低周波ローカル回路から出力されるローカル信号とをミキシングして、第２の周波数帯のＩＦ信号を出力する第４のミキサと、第４のミキサから出力される第２の周波数帯のＩＦ信号を増幅する第２のＩＦアンプとを含む。
【００２７】
本発明の別の局面に従えば、放送衛星からの電波を反射するアンテナと、アンテナによって反射された電波から複数の周波数帯のＩＦ信号を生成する衛星放送受信用コンバータとを含んだアンテナ装置であって、衛星放送受信用コンバータは、高周波数のローカル信号を生成するローカル回路と、低周波数のローカル信号を生成する低周波ローカル回路と、衛星放送のＲＦ信号とローカル回路から出力されるローカル信号とから第１の周波数帯のＩＦ信号を生成する第１の回路と、衛星放送のＲＦ信号とローカル回路から出力されるローカル信号と低周波ローカル回路から出力されるローカル信号とから第２の周波数帯のＩＦ信号を生成する第２の回路とを含む。
【００２８】
本発明のさらに別の局面に従えば、放送衛星からの電波を反射するアンテナと、アンテナによって反射された電波から複数の周波数帯のＩＦ信号を生成する衛星放送受信用コンバータと、衛星放送受信用コンバータによって生成されたＩＦ信号から所定のストリームを再生するチューナとを含んだ衛星放送受信システムであって、衛星放送受信用コンバータは、高周波数のローカル信号を生成するローカル回路と、低周波数のローカル信号を生成する低周波ローカル回路と、衛星放送のＲＦ信号とローカル回路から出力されるローカル信号とから第１の周波数帯のＩＦ信号を生成する第１の回路と、衛星放送のＲＦ信号とローカル回路から出力されるローカル信号と低周波ローカル回路から出力されるローカル信号とから第２の周波数帯のＩＦ信号を生成する第２の回路とを含む。
【発明の効果】
【００２９】
本発明のある局面によれば、第２の回路が、衛星放送のＲＦ信号とローカル回路から出力されるローカル信号と低周波ローカル回路から出力されるローカル信号とから第２の周波数帯のＩＦ信号を生成するので、高周波数のローカル信号を生成するローカル回路の数を減らすことができ、スプリアスノイズの発生を抑制することが可能となる。
【００３０】
また、高周波数のローカル信号を生成するローカル回路の数を減らすことができるので、調整ネジなどで周波数調整を行なう工程を減らすことが可能となる。
【００３１】
また、高周波数のローカル信号を生成するローカル回路の数を減らすことができるので、基板の面積を小さくすることが可能となる。
【００３２】
また、低周波ローカル回路によって生成されるローカル信号の周波数は、ローカル回路から出力されるローカル信号の周波数と、第２の回路において必要となるローカル信号の周波数との差であるので、第２の回路において必要となるローカル信号を容易に生成することが可能となる。
【００３３】
また、第２のミキサが、ローカル回路から出力されるローカル信号と低周波ローカル回路から出力されるローカル信号とをミキシングして、ローカル信号を出力するので、第２の回路において必要となるローカル信号を容易に生成することが可能となる。
【００３４】
また、第２のミキサが、第２のバンドパスフィルタから出力されるＲＦ信号とローカル回路から出力されるローカル信号とをミキシングして、中間ＩＦ信号を生成し、第３のミキサが、第２のミキサから出力される中間ＩＦ信号と低周波ローカル回路から出力されるローカル信号とをミキシングして、第２の周波数帯のＩＦ信号を出力するので、第２の周波数帯のＩＦ信号を容易に生成することが可能となる。
【００３５】
また、ローカル回路によって生成されるローカル信号の周波数が、第１の回路において必要となるローカル信号の周波数と、第２の回路において必要となるローカル信号の周波数との差であり、低周波ローカル回路によって生成されるローカル信号の周波数が、第１の回路において必要となるローカル信号の周波数と、第２の回路において必要となるローカル信号の周波数との差を２で割った値であるので、第１の回路および第２の回路において必要となるローカル信号を容易に生成することが可能となる。
【００３６】
また、第２のミキサが、第１のバンドパスフィルタから出力されるＲＦ信号と第１のミキサから出力される第１のローカル信号とをミキシングして、第１の周波数帯のＩＦ信号を生成し、第３のミキサが、第２のバンドパスフィルタから出力されるＲＦ信号と第１のミキサから出力される第２のローカル信号とをミキシングして、第２の周波数帯のＩＦ信号を生成するので、第１の回路において必要となるローカル信号と第２の回路において必要となるローカル信号とを容易に生成することが可能となる。
【００３７】
また、第１のミキサが、第１のバンドパスフィルタから出力されるＲＦ信号とローカル回路から出力されるローカル信号とをミキシングして、中間ＩＦ信号を生成し、第２のミキサが、第１のミキサから出力される中間ＩＦ信号と低周波ローカル回路から出力されるローカル信号とをミキシングして、第１の周波数帯のＩＦ信号を出力し、第３のミキサが、第２のバンドパスフィルタから出力されるＲＦ信号とローカル回路から出力されるローカル信号とをミキシングして、中間ＩＦ信号を生成し、第４のミキサが、第３のミキサから出力される中間ＩＦ信号と低周波ローカル回路から出力されるローカル信号とをミキシングして、第２の周波数帯のＩＦ信号を出力するので、第１の周波数帯のＩＦ信号と第２の周波数帯のＩＦ信号とを容易に生成することが可能となる。
【発明を実施するための最良の形態】
【００３８】
（第１の実施の形態）
図１は、本発明の第１の実施の形態における衛星放送受信システムの構成例を示す図である。この衛星放送受信システムは、放送衛星からの電波を反射鏡によって反射するアンテナ１と、アンテナ１で反射された放送衛星からの電波を低い周波数帯のＩＦ信号に変換して出力する衛星放送受信用コンバータ（以下、ＬＮＢ（Low Noise Block Down Converter）とも呼ぶ。）２と、ＬＮＢ２から出力されたＩＦ信号を伝送するＢＳ−ＩＦケーブル３と、ＢＳ−ＩＦケーブル３によって伝送されたＩＦ信号から所望のチャンネルの映像や音声を再生するＢＳチューナ４と、ＢＳチューナ４によって再生された映像や音声を出力するテレビジョン５とを含む。
【００３９】
一般的には、アンテナ１とＬＮＢ２とが屋外に設置され、ＢＳチューナ４およびテレビジョン５とが屋内に設置される。屋外に設置されたＬＮＢから出力されるＩＦ信号は、ＢＳ−ＩＦケーブル３によって屋内に設置されたＢＳチューナ４に伝送される。なお、アンテナ１とＬＮＢ２とを合わせてアンテナ装置と呼ぶことにする。
【００４０】
図２は、本発明の第１の実施の形態におけるＬＮＢ２ａの内部構成を示すブロック図である。このＬＮＢ２ａは、ＬＮＡ２１ａおよび２１ｂと、ＢＰＦ２２ａおよび２２ｂと、ミキサ２３ａ，２３ｂおよび２３ｃと、ローカル回路２４ａと、低周波ローカル回路２４ｃと、ＩＦアンプ２５ａおよび２５ｂと、出力端子２６ａおよび２６ｂとを含む。
【００４１】
以下の説明においては、５ＧＨｚ程度以下の低周波数のローカル信号を出力する回路を低周波ローカル回路と呼び、１０ＧＨｚ程度以上の高周波数のローカル信号を出力する回路を単にローカル回路と呼ぶものとする。
【００４２】
ＬＮＡ２１ａは、アンテナの反射鏡で反射された１２．２〜１２．７ＧＨｚのＲＦ信号を増幅してＢＰＦ２２ａに出力する。ＢＰＦ２２ａは、受信帯域幅とほぼ等しい通過帯域幅を有しており、ＬＮＡ２１ａによって増幅されたＲＦ信号の信号帯域を制限してミキサ２３ａに出力する。
【００４３】
ミキサ２３ａは、ＢＰＦ２２ａから出力されるＲＦ信号（１２．２〜１２．７ＧＨｚ）と、ローカル回路２４ａから出力されるローカル信号（１１．２５ＧＨｚ）とをミキシングし、ＲＦ信号をＩＦ信号（０．９５〜１．４５ＧＨｚ）に変換してＩＦアンプ２５ａに出力する。
【００４４】
ＩＦアンプ２５ａは、ミキサ２３ａによって生成されたＩＦ信号を増幅し、出力端子２６ａを介してＢＳチューナ４に出力する。
【００４５】
ＬＮＡ２１ｂは、アンテナの反射鏡で反射された１２．２〜１２．７ＧＨｚのＲＦ信号を増幅してＢＰＦ２２ｂに出力する。ＢＰＦ２２ｂは、受信帯域幅とほぼ等しい通過帯域幅を有しており、ＬＮＡ２１ｂによって増幅されたＲＦ信号の信号帯域を制限してミキサ２３ｂに出力する。
【００４６】
低周波ローカル回路２４ｃは、３．１ＧＨｚのローカル信号を出力する。この低周波ローカル回路２４ｃによって生成されるローカル信号の周波数は、図６に示すローカル回路２４ｂの周波数と、ローカル回路２４ａの周波数との差である３．１ＧＨｚ（１４．３５−１１．２５）としている。
【００４７】
ミキサ２３ｃは、ローカル回路２４ａから出力されるローカル信号（１１．２５ＧＨｚ）と、低周波ローカル回路２４ｃから出力されるローカル信号（３．１ＧＨｚ）とをミキシングし、１４．３５ＧＨｚのローカル信号としてミキサ２３ｂに出力する。
【００４８】
ミキサ２３ｂは、ＢＰＦ２２ｂから出力されるＲＦ信号（１２．２〜１２．７ＧＨｚ）と、ミキサ２３ｃから出力されるローカル信号（１４．３５ＧＨｚ）とをミキシングし、ＲＦ信号をＩＦ信号（１．６５〜２．１５ＧＨｚ）に変換してＩＦアンプ２５ｂに出力する。
【００４９】
ＩＦアンプ２５ｂは、ミキサ２３ｂによって生成されたＩＦ信号を増幅し、出力端子２６ｂを介してＢＳチューナ４に出力する。
【００５０】
なお、本実施の形態においては、１１．２５ＧＨｚのローカル回路２４ａと、３．１ＧＨｚの低周波ローカル回路２４ｃとを搭載する場合について説明したが、周波数はこれに限定されるものではない。すなわち、ヨーロッパモデルやそれ以外の複数のローカル回路を有する衛星放送受信用コンバータにも適用可能である。
【００５１】
また、本実施の形態においては、図６に示すローカル回路２４ｂを削除するようにしているが、ローカル回路２４ａを削除してミキサによって１１．２５ＧＨｚのローカル信号を生成するようにしてもよい。
【００５２】
以上説明したように、本実施の形態におけるＬＮＢ２ａによれば、高周波数のローカル回路を１つとし、低周波ローカル回路２４ｃおよびミキサ２３ｃによって他方のローカル信号を生成するようにしたので、スプリアスノイズ（不要信号）の発生を抑制することが可能となった。
【００５３】
また、低周波ローカル回路２４ｃは、コンパクトで高精度なＰＬＬ（Phase Locked Loop）回路などで構成できる。したがって、調整ネジなどで周波数調整を行なう工程を減らすことができ、製品の生産ラインにおけるコストを削減することが可能となった。
【００５４】
さらには、基板の面積を小さくすることができるため、衛星放送受信用コンバータを小さくすることが可能となった。
【００５５】
（第２の実施の形態）
図３は、本発明の第２の実施の形態におけるＬＮＢ２ｂの内部構成を示すブロック図である。このＬＮＢ２ｂは、ＬＮＡ２１ａおよび２１ｂと、ＢＰＦ２２ａおよび２２ｂと、ミキサ２３ａ，２３ｄおよび２３ｅと、ローカル回路２４ａと、低周波ローカル回路２４ｃと、ＩＦアンプ２５ａおよび２５ｂと、出力端子２６ａおよび２６ｂとを含む。なお、図２に示す第１の実施の形態におけるＬＮＢ２ａと同じ部分については同じ参照番号を付すものとし、その詳細な説明は繰り返さない。
【００５６】
ミキサ２３ｄは、ＢＰＦ２２ｂから出力されるＲＦ信号（１２．２〜１２．７ＧＨｚ）と、ローカル回路２４ａから出力されるローカル信号（１１．２５ＧＨｚ）とをミキシングし、ＲＦ信号を中間ＩＦ信号（０．９５〜１．４５ＧＨｚ）に変換してミキサ２３ｅに出力する。
【００５７】
ミキサ２３ｅは、ミキサ２３ｄから出力される中間ＩＦ信号（０．９５〜１．４５ＧＨｚ）と、低周波ローカル回路２４ｃから出力されるローカル信号（３．１ＧＨｚ）とをミキシングし、ＩＦ信号（１．６５〜２．１５ＧＨｚ）としてＩＦアンプ２５ｂに出力する。
【００５８】
以上説明したように、本実施の形態におけるＬＮＢ２ｂによれば、高周波数のローカル回路を１つとし、低周波ローカル回路２４ｃ、ミキサ２３ｄおよび２３ｅによって他方のＩＦ信号を生成するようにしたので、第１の実施の形態において説明した効果と同様の効果を奏することが可能となった。
【００５９】
（第３の実施の形態）
図４は、本発明の第３の実施の形態におけるＬＮＢ２ｃの内部構成を示すブロック図である。このＬＮＢ２ｃは、ＬＮＡ２１ａおよび２１ｂと、ＢＰＦ２２ａおよび２２ｂと、ミキサ２３ａ，２３ｂおよび２３ｆと、ローカル回路２４ｄと、低周波ローカル回路２４ｅと、ＩＦアンプ２５ａおよび２５ｂと、出力端子２６ａおよび２６ｂとを含む。なお、図２に示す第１の実施の形態におけるＬＮＢ２ａと同じ部分については同じ参照番号を付すものとし、その詳細な説明は繰り返さない。
【００６０】
ローカル回路２４ｄは１２．８ＧＨｚのローカル信号を出力し、低周波ローカル回路２４ｅは１．５５ＧＨｚのローカル信号を出力する。ローカル回路２４ｄによって生成されるローカル信号の周波数は、図６に示すローカル回路２４ａの周波数とローカル回路２４ｂの周波数との平均値である１２．８ＧＨｚ（（１１．２５＋１４．３５）÷２）としている。また、低周波ローカル回路２４ｅによって生成されるローカル信号の周波数は、図６に示すローカル回路２４ｂの周波数と、ローカル回路２４ａの周波数との差を２で割った値である１．５５ＧＨｚ（（１４．３５−１１．２５）÷２）としている。
【００６１】
ミキサ２３ｆは、ローカル回路２４ｄから出力されるローカル信号（１２．８ＧＨｚ）と、低周波ローカル回路２４ｅから出力されるローカル信号（１．５５ＧＨｚ）とをミキシングし、１１．２５ＧＨｚのローカル信号をミキサ２３ａに出力するとともに、１４．３５ＧＨｚのローカル信号をミキサ２３ｂに出力する。
【００６２】
以上説明したように、本実施の形態におけるＬＮＢ２ｃによれば、高周波数のローカル回路を１つとし、ローカル回路２４ｄ、低周波ローカル回路２４ｅおよびミキサ２３ｆによって２つのローカル信号を生成するようにしたので、第１の実施の形態において説明した効果と同様の効果を奏することが可能となった。
【００６３】
（第４の実施の形態）
図５は、本発明の第４の実施の形態におけるＬＮＢ２ｄの内部構成を示すブロック図である。このＬＮＢ２ｄは、ＬＮＡ２１ａおよび２１ｂと、ＢＰＦ２２ａおよび２２ｂと、ミキサ２３ｇ，２３ｈ，２３ｉおよび２３ｊと、ローカル回路２４ｄと、低周波ローカル回路２４ｅと、ＩＦアンプ２５ａおよび２５ｂと、出力端子２６ａおよび２６ｂとを含む。なお、図４に示す第３の実施の形態におけるＬＮＢ２ｃと同じ部分については同じ参照番号を付すものとし、その詳細な説明は繰り返さない。
【００６４】
ミキサ２３ｇは、ＢＰＦ２２ａから出力されるＲＦ信号（１２．２〜１２．７ＧＨｚ）と、ローカル回路２４ｄから出力されるローカル信号（１２．８ＧＨｚ）とをミキシングし、ＲＦ信号を中間ＩＦ信号（０．１〜０．６ＧＨｚ）に変換してミキサ２３ｈに出力する。
【００６５】
ミキサ２３ｈは、ミキサ２３ｇから出力される中間ＩＦ信号（０．１〜０．６ＧＨｚ）と、低周波ローカル回路２４ｅから出力されるローカル信号（１．５５ＧＨｚ）とをミキシングし、ＩＦ信号（０．９５〜１．４５ＧＨｚ）としてＩＦアンプ２５ａに出力する。
【００６６】
ミキサ２３ｉは、ＢＰＦ２２ｂから出力されるＲＦ信号（１２．２〜１２．７ＧＨｚ）と、ローカル回路２４ｄから出力されるローカル信号（１２．８ＧＨｚ）とをミキシングし、ＲＦ信号を中間ＩＦ信号（０．１〜０．６ＧＨｚ）に変換してミキサ２３ｊに出力する。
【００６７】
ミキサ２３ｊは、ミキサ２３ｉから出力される中間ＩＦ信号（０．１〜０．６ＧＨｚ）と、低周波ローカル回路２４ｅから出力されるローカル信号（１．５５ＧＨｚ）とをミキシングし、ＩＦ信号（１．６５〜２．１５ＧＨｚ）としてＩＦアンプ２５ｂに出力する。
【００６８】
以上説明したように、本実施の形態におけるＬＮＢ２ｄによれば、ローカル回路２４ｄ、低周波ローカル回路２４ｅおよびミキサ２３ｇ〜２３ｊによって２つのＩＦ信号を生成するようにしたので、第１の実施の形態において説明した効果と同様の効果を奏することが可能となった。
【００６９】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７０】
【図１】本発明の第１の実施の形態における衛星放送受信システムの構成例を示す図である。
【図２】本発明の第１の実施の形態におけるＬＮＢ２ａの内部構成を示すブロック図である。
【図３】本発明の第２の実施の形態におけるＬＮＢ２ｂの内部構成を示すブロック図である。
【図４】本発明の第３の実施の形態におけるＬＮＢ２ｃの内部構成を示すブロック図である。
【図５】本発明の第４の実施の形態におけるＬＮＢ２ｄの内部構成を示すブロック図である。
【図６】従来の衛星放送受信用コンバータの構成例を示すブロック図である。
【符号の説明】
【００７１】
１  アンテナ、２，２ａ〜２ｄ，１００  衛星放送受信用コンバータ（ＬＮＢ）、３  ＢＳ−ＩＦケーブル、４  ＢＳチューナ、５  テレビジョン、２１ａ，２１ｂ  ＬＮＡ、２２ａ，２２ｂ  ＢＰＦ、２３ａ〜２３ｊ  ミキサ、２４ａ，２４ｂ，２４ｄ  ローカル回路、２４ｃ，２４ｅ  低周波ローカル回路、２５ａ，２５ｂ  ＩＦアンプ、２６ａ，２６ｂ  出力端子。
【図１】
2009260894.tif 000003
【図２】
2009260894.tif 000004
【図３】
2009260894.tif 000005
【図４】
2009260894.tif 000006
【図５】
2009260894.tif 000007
【図６】
2009260894.tif 000008